(57)【要約】【課題】構成手段を増加することなく、また電源スイッチのオンオフ状態に関連付けた報知が聞きづらくなるのを防いだ加熱調理器を提供することを目的とする。【解決手段】加熱手段４ａ、５ａ、入力手段４ｃ、５ｃ、聴覚的に報知する報知手段４ｄ、５ｄ、加熱手段の状態を制御する制御手段４ｅ、５ｅの組み合わせを備え、各々の制御手段４ｅ、５ｅは、電源スイッチ２のオンオフ状態を検知し、複数の制御手段４ｅ、５ｅのうち何れか１つでのみ、電源スイッチ２のオンオフ状態に関連付けて報知手段で聴覚的に報知するようにしたものである。これによって、複数の報知手段４ｄ、５ｄのうち何れか１つでのみ、電源スイッチ２のオンオフ状態に関連付けた聴覚的な報知を実施することとなり、構成手段を増加することなく、また電源スイッチのオンオフ状態に関連付けた報知が聞きづらくなるのを防ぐことができる。【選択図】図１
2008071614.tif 000002
【特許請求の範囲】
【請求項１】
電源スイッチと、加熱手段、入力手段、聴覚的に報知する報知手段、前記加熱手段の状態を制御する制御手段の組み合わせとを複数備え、各々の制御手段は、前記電源スイッチのオンオフ状態を検知し、前記入力手段からの入力信号に基づき前記加熱手段の出力状態を変更するとともに前記報知手段にて聴覚的に報知し、かつ前記複数の制御手段のうち何れか１つでのみ、前記電源スイッチのオンオフ状態に関連付けて報知手段で聴覚的に報知する構成とした加熱調理器。
【請求項２】
電源スイッチのオンオフ状態に関連付けた聴覚的な報知を行う制御手段が動作不良の場合に、他の制御手段が電源スイッチのオンオフ状態に関連付けて報知手段で聴覚的に報知するようにした請求項１に記載の加熱調理器。
【請求項３】
電源スイッチのオンオフ状態に関連付けた聴覚的な報知を行う制御手段との通信不良を検知して、前記電源スイッチのオンオフ状態に関連付けた聴覚的な報知を行う制御手段が動作不良であると検知する請求項２に記載の加熱調理器。
【請求項４】
電源スイッチのオンオフ状態に関連付けた聴覚的な報知を行う制御手段が制御する報知手段が駆動していないことを検知して、前記電源スイッチのオンオフ状態に関連付けた聴覚的な報知を行う制御手段が動作不良であると検知する請求項２に記載の加熱調理器。
【発明の詳細な説明】
【技術分野】
【０００１】
本発明は、家庭のキッチンや業務用の厨房などに用いられる加熱調理器に関するものである。
【背景技術】
【０００２】
近年、この種の加熱調理器、特に、誘導加熱調理器は安全・清潔・高効率という優れた特徴が認知され、普及されている。
【０００３】
この加熱調理器には、複数の加熱手段を備えて、各々の加熱手段を出力制御する制御手段とは別に、操作表示部で各々の加熱手段の状態を制御するとともに、加熱手段の状態変化に対応して報知手段にて聴覚的に報知し、操作表示部から各々の制御手段へ加熱手段の状態に関する信号を出力し、操作表示部にて複数の加熱手段の総電力などを一括制御するものがある（例えば、特許文献１参照）。
【特許文献１】特開２００５−１５８３２９号公報
【発明の開示】
【発明が解決しようとする課題】
【０００４】
しかしながら、前記従来の構成では、３つ以上の加熱手段の総電力を操作表示部で一括制御し易いといった利点がある反面、各々の加熱手段を出力制御する制御手段とは別に操作表示部が必要なので、加熱手段が２つの場合は、主要な構成手段が２つ→３つと構成手段の増加比率が大きくコスト高な構成となってしまう。
【０００５】
また、２つの加熱手段の各々に対して、制御手段と聴覚的に報知する報知手段を備えた構成で、各々の制御手段が電源スイッチのオンオフ状態に関連付けて報知手段を駆動すると、２つの制御手段で電源スイッチのオンオフ状態の検知タイミングがずれた場合に、報知手段による報知タイミングがずれて聞きづらくなってしまうという課題を有していた。
【０００６】
本発明は、前記従来の課題を解決するもので、構成手段を増加することなく、また電源スイッチのオンオフ状態に関連付けた報知が聞きづらくなるのを防いだ加熱調理器を提供することを目的とする。
【課題を解決するための手段】
【０００７】
前記従来の課題を解決するために、本発明の加熱調理器は、加熱手段、入力手段、聴覚的に報知する報知手段、前記加熱手段の状態を制御する制御手段の組み合わせを複数備え、各々の制御手段は、電源スイッチのオンオフ状態を検知し、前記複数の制御手段のうち何れか１つでのみ、電源スイッチのオンオフ状態に関連付けて報知手段で聴覚的に報知するようにしたものである。
【０００８】
これによって、複数の報知手段のうち何れか１つでのみ、電源スイッチのオンオフ状態に関連付けた聴覚的な報知を実施することとなり、構成手段を増加することなく、また電源スイッチのオンオフ状態に関連付けた報知が聞きづらくなるのを防ぐことができる。
【発明の効果】
【０００９】
本発明の加熱調理器は、構成手段を増加することなく、また電源スイッチのオンオフ状態に関連付けた報知が聞きづらくなるのを防ぐことができる。
【発明を実施するための最良の形態】
【００１０】
第１の発明は、電源スイッチと、加熱手段、入力手段、聴覚的に報知する報知手段、前記加熱手段の状態を制御する制御手段の組み合わせとを複数備え、各々の制御手段は、前記電源スイッチのオンオフ状態を検知し、前記入力手段からの入力信号に基づき前記加熱手段の出力状態を変更するとともに前記報知手段にて聴覚的に報知し、かつ前記複数の制御手段のうち何れか１つでのみ、前記電源スイッチのオンオフ状態に関連付けて報知手段で聴覚的に報知する構成とした加熱調理器とすることで、複数の報知手段のうち何れか１つでのみ、電源スイッチのオンオフ状態に関連付けた聴覚的な報知を実施することとなり、構成手段を増加することなく、また電源スイッチのオンオフ状態に関連付けた報知が聞きづらくなるのを防ぐことができる。
【００１１】
第２の発明は、特に、第１の発明において、電源スイッチのオンオフ状態に関連付けた聴覚的な報知を行う制御手段が動作不良の場合に、他の制御手段が電源スイッチのオンオフ状態に関連付けて報知手段で聴覚的に報知するようにしたことにより、第１の発明の効果を得つつ、電源スイッチのオンオフ状態に関連付けた聴覚的な報知を行う制御手段が故障して動作不良の場合は、他の制御手段が電源スイッチのオンオフ状態に関連付けて報知手段で聴覚的に報知して、機器として電源スイッチのオンオフ状態に関連付けた聴覚的な報知を行うことができる。
【００１２】
第３の発明は、特に、第２の発明において、電源スイッチのオンオフ状態に関連付けた聴覚的な報知を行う制御手段との通信不良を検知して、前記電源スイッチのオンオフ状態に関連付けた聴覚的な報知を行う制御手段が動作不良であると検知することにより、例えば、２組の加熱手段・入力手段・報知手段・制御手段からなり、２つの制御手段の間で、双方向または電源スイッチのオンオフ状態に関連付けた報知を行う制御手段から他の制御手段へ通信する構成の場合、新たな構成手段を設けることなく、通信不良を検知して前記電源スイッチのオンオフ状態に関連付けた聴覚的な報知を行う制御手段が動作不良であると判断し、代わりに電源スイッチのオンオフ状態に関連付けた聴覚的な報知を行うことができる。
【００１３】
第４の発明は、特に、第２の発明において、電源スイッチのオンオフ状態に関連付けた聴覚的な報知を行う制御手段が制御する報知手段が駆動していないことを検知して、前記電源スイッチのオンオフ状態に関連付けた聴覚的な報知を行う制御手段が動作不良であると検知することにより、電源スイッチのオンオフ状態に関連付けた聴覚的な報知を行う報知手段が動作不良であると判断し、代わりに電源スイッチのオンオフ状態に関連付けた聴覚的な報知を行うことができる。
【００１４】
以下、本発明の実施の形態について、図面を参照しながら説明する。なお、この実施の形態によって本発明が限定されるものではない。
【００１５】
（実施の形態１）
図１は、本発明の実施の形態１における加熱調理器を示したものである。
【００１６】
図に示すように、本実施の形態における加熱調理器は、電源スイッチ２はタクトスイッチで構成され、電源スイッチ検知手段３が、電源スイッチ２からの入力信号に基づき電源スイッチ２のオンオフ状態を示す信号を出力する。
【００１７】
電源スイッチ検知手段３は、電源スイッチ２からの入力信号に基づき電源スイッチ２のオンオフ状態を、電源スイッチオフ状態→電源スイッチオン状態、または電源スイッチオン状態→電源スイッチオフ状態に交互に切り替えし、電源スイッチオフ状態でＬ信号、電源スイッチオン状態でＨ信号を出力する。
【００１８】
本実施の形態では、一例として２口の誘導加熱部を有するものを示し、右誘導加熱部４および左誘導加熱部５を備えている。右誘導加熱部４は、加熱コイルなどからなる加熱手段４ａ、インバータ４ｂ、入力手段４ｃ、聴覚的に報知する報知手段４ｄ、加熱手段の状態を制御する制御手段４ｅ、および零点検知手段４ｆの組み合わせで構成され、左誘導加熱部５は、加熱手段５ａ、インバータ５ｂ、入力手段５ｃ、報知手段５ｄ、制御手段５ｅ、および零点検知手段５ｆの組み合わせで構成されている。なお、入力手段４ｃ、５ｃはタクトスイッチなどで構成され、報知手段４ｄ、５ｄはブザーなどで構成されている。
【００１９】
制御手段４ｅ、５ｅは、絶縁手段６の第１の絶縁手段６ａまたは第２の絶縁手段６ｂを介して、シリアル通信にてお互いの加熱情報などを送受信する。
【００２０】
制御手段４ｅ、５ｅは、電源リレー７のリレー接点７ａ、７ｂを開閉制御し、商用電源１とインバータ４ｂ、５ｂを遮断または接続する。
【００２１】
零点検知手段４ｆ、５ｆは、商用電源１の両端電圧が零点近傍であることを示す信号を出力する。
【００２２】
制御手段４ｅ、５ｅは、インバータ４ｂ、５ｂを制御して加熱コイル４ａ、５ａに数十ｋＨｚの高周波電流を印加し、加熱コイル４ａ、５ａと磁気結合する鍋などを誘導加熱する。
【００２３】
また、制御手段４ｅ、５ｅは、電源スイッチ検知手段３からの入力信号に基づき電源スイッチ２のオンオフ状態を検知し、電源スイッチオフ状態と検知すると電源リレー７のリレー接点７ａ、７ｂをオフし、電源スイッチオン状態と検知すると電源リレー７のリレー接点７ａ、７ｂをオンにする。
【００２４】
また、制御手段４ｅ、５ｅは、電源スイッチオフで加熱オフを維持する電源スイッチオフモード、電源スイッチオンで加熱オフの初期モード、電源スイッチオンで所定の火力にて加熱する加熱モードといった、３つの動作モードを備えている。
【００２５】
また、制御手段４ｅ、５ｅは、入力信号に重畳するインバータ４ｂ、５ｂの雑音に対する影響を抑えるために、電源スイッチ検知手段３からの入力信号、および入力手段４ｃ、５ｃからの入力信号を、零点検知手段４ｆ、５ｆからの入力信号に基づき商用電源１の零点近傍にて入力し、かつ所定回数連続一致で入力信号を確定する。
【００２６】
なお、零点検知手段４ｆ、５ｆは、各々を構成する部品のバラツキなどで信号の出力タイミングに僅かなずれが生じる場合があるので、制御手段４ｅ、５ｅで電源スイッチオンオフ状態を検知するタイミングが、商用電源１の零点と電源スイッチ検知手段３の出力信号の変化するタイミングによっては商用電源１の半周期だけずれる場合があり、更に雑音の影響で商用電源１の半周期の倍数でずれる場合があり得る。
【００２７】
そして、制御手段４ｅ、５ｅは、電源スイッチ検知手段３からの入力信号に基づき電源スイッチオフ状態を検知すると、電源スイッチオフモードに移行し、入力手段４ｃ、５ｃからの入力信号を受付不可とする。
【００２８】
その後、制御手段４ｅ、５ｅは、電源スイッチ検知手段３からの入力信号に基づき電源スイッチオフ状態→電源スイッチオン状態を検知すると、動作モードを電源スイッチオフモード→初期モードに移行し、入力手段４ｃ、５ｃからの入力信号を受付可能とするとともに、制御手段４ｅのみ報知手段４ｄを駆動して電源スイッチオフ→オンになったことを示す報知（０．１秒吹鳴を１回）を行う。
【００２９】
その後、制御手段４ｅ、５ｅは、入力手段４ｃ、５ｃから加熱開始を示す信号を入力すると、動作モードを初期モード→加熱モードに移行し、インバータ４ｂ、５ｂを制御して所定の火力にて加熱開始するとともに、報知手段４ｄ、５ｄを駆動して入力手段４ｃ、５ｃからの入力信号を受け付けたことを示す報知（０．１秒吹鳴を１回）を行う。そして、入力手段４ｃ、５ｃから火力の変更を示す信号を入力すると、火力の設定を変更するとともに、報知手段４ｄ、５ｄを駆動して入力手段４ｃ、５ｃからの入力信号を受け付けたことを示す報知（０．１秒吹鳴を１回）を行う。
【００３０】
さらに、その後、制御手段４ｅ、５ｅは、電源スイッチ検知手段３からの入力信号に基づき電源スイッチオン状態→電源スイッチオフ状態を検知すると、動作モードを加熱モードまたは初期モード→電源スイッチオフモードに移行し、インバータ４ｂ、５ｂを出力停止して加熱オフするとともに、制御手段４ｅのみ報知手段４ｄを駆動して電源スイッチオン→オフになったことを示す報知（０．５秒吹鳴を１回）を行う。
【００３１】
以上のように、本実施の形態では、制御手段４ｅ、５ｅは、それぞれ独立して、入力手段４ｃ、５ｃからの入力信号を受け付けて報知手段４ｄ、５ｄを駆動（０．１秒吹鳴を１回）できるとともに、制御手段４ｅ、５ｅで電源スイッチオフ状態→電源スイッチオン状態、または電源スイッチオン状態→電源スイッチオフ状態の検知タイミングがずれた場合でも、電源スイッチオフ→オンになったことを示す報知（０．１秒吹鳴を１回）または電源スイッチオン→オフになったことを示す報知（０．５秒吹鳴を１回）を右誘導加熱部４の報知手段４ｄでのみ実施して、報知手段４ｄ、５ｄの報知タイミングがずれて聞きづらくなるのを防ぐことができる。
【００３２】
なお、図１では、電源スイッチ２をタクトスイッチで構成し、制御手段４ｅ、５ｅが電源リレー７のリレー接点７ａ、７ｂを開閉制御して商用電源１とインバータ４ｂ、５ｂを遮断または接続する構成としているが、図２に示すように、電源スイッチ８にロッカースイッチを採用して商用電源１とインバータ４ｂ、５ｂを直接遮断または接続する構成とし、電源スイッチ検知手段３を、電源スイッチ８とインバータ４ｂ、５ｂとの接続点と、商用電源１とインバータ４ｂ、５ｂとの接続点の間の電圧に基づき、電源スイッチ８のオンオフ状態を検知する構成とすることもできる。
【００３３】
また、図２の電源スイッチ８は１接点であるが、電源スイッチ８を２接点にして、一方の接点をインバータ４ｂに接続し、他方の接点をインバータ５ｂに接続し、電源スイッチ検知手段３は、各々の接点の開閉状態を検知し、インバータ４ｂと接続する接点の開閉状態に関する信号を制御手段４ｅへ、インバータ５ｅと接続する接点の開閉状態に関する信号を制御手段５ｅへ出力する構成とすることもできる。
【００３４】
（実施の形態２）
次に、本発明の実施の形態２における加熱調理器について説明する。
【００３５】
本実施の形態における加熱調理器は、図１に示す実施の形態１と同一の構成手段からなる。実施の形態１と異なる点は、左誘導加熱部５の制御手段５ｅが、第２の絶縁手段６ｂを介した右誘導加熱部４の制御手段４ｅとのシリアル通信を正常に行えない場合、報知手段５ｄを駆動して電源スイッチオフ→オンになったことを示す報知（０．１秒吹鳴を１回）および電源スイッチオン→オフになったことを示す報知（０．５秒吹鳴を１回）を行うようにしたことである。
【００３６】
以上のように構成された加熱調理器について、その動作、作用を説明する。
【００３７】
実施の形態１の構成では、例えば、右誘導加熱部４の故障で制御手段４ｅが動作不能の場合、加熱コイル４ａとインバータ４ｂによる誘導加熱、電源スイッチ検知手段３や入力手段４ｃによる動作モードの移行、報知手段４ｄの駆動、第２の絶縁手段６ｂを介した右誘導加熱部４の制御手段４ｅから左誘導加熱手段５の制御手段５ｅへのシリアル通信を行うことができないので、機器として、電源スイッチオフ→オンになったことを示す報知（０．１秒吹鳴を１回）および電源スイッチオン→オフになったことを示す報知（０．５秒吹鳴を１回）を行うことができなくなる。
【００３８】
本実施の形態では、左誘導加熱手段５の制御手段５ｅは、第２の絶縁手段６ｂを介した右誘導加熱部４の制御手段４ｅからのシリアル通信が正常であると検知した場合、実施の形態１で述べているように、報知手段５ｄでは、電源スイッチオフ→オンになったことを示す報知（０．１秒吹鳴を１回）または電源スイッチオン→オフになったことを示す報知（０．５秒吹鳴を１回）を実施しない。
【００３９】
しかし、制御手段５ｅは、第２の絶縁手段６ｂを介した右誘導加熱部４の制御手段４ｅからのシリアル通信が異常であると検知した場合、右誘導加熱部４が動作不良であると判断し、報知手段５ｄを駆動して、電源スイッチオフ→オンになったことを示す報知（０．１秒吹鳴を１回）または電源スイッチオン→オフになったことを示す報知（０．５秒吹鳴を１回）を実施する。
【００４０】
以上のように、本実施の形態では、新たな構成手段を設けることなく、右誘導加熱部４の制御手段４ｅが動作不良で報知手段４ｄを駆動できない場合は、左誘導加熱部５の制御手段５ｅのみ、電源スイッチオフ→オンになったことを示す報知（０．１秒吹鳴を１回）または電源スイッチオン→オフになったことを示す報知（０．５秒吹鳴を１回）を行うようにすることができる。
【００４１】
（実施の形態３）
図３は、本発明の実施の形態３における加熱調理器を示すものである。
【００４２】
本実施の形態における加熱調理器において、実施の形態１と異なる点は、絶縁手段６の第１の絶縁手段６ａまたは第２の絶縁手段６ｂが存在せず、右報知有無検知手段９を新たに設けて右誘導加熱部４の報知手段４ｄの駆動有無を示す信号を出力し、左誘導加熱部５の制御手段５ｅが、電源スイッチ検知手段３より入力する信号に基づき、電源スイッチオフ状態→電源スイッチオン状態、または電源スイッチオン状態→電源スイッチオフ状態を検知した後、０．０５秒以内に右報知有無検知手段９より報知手段４ｄが駆動していることを示す信号を入力しない場合は、報知手段５ｄを駆動して電源スイッチオフ→オンになったことを示す報知（０．１秒吹鳴を１回）または電源スイッチオン→オフになったことを示す報知（０．５秒吹鳴を１回）を行うようにしたことである。
【００４３】
以上のように構成された加熱調理器について、その動作、作用を説明する。
【００４４】
実施の形態１の構成では、例えば、右誘導加熱部４の故障で制御手段４ｅや報知手段４ｄが動作不能の場合、機器として、電源スイッチオフ→オンになったことを示す報知（０．１秒吹鳴を１回）および電源スイッチオン→オフになったことを示す報知（０．５秒吹鳴を１回）を行うことができなくなる。
【００４５】
本実施の形態では、左誘導加熱手段５の制御手段５ｅは、電源スイッチ検知手段３より入力する信号に基づき、電源スイッチオフ状態→電源スイッチオン状態、または電源スイッチオン状態→電源スイッチオフ状態を検知した後、０．０５秒以内に右報知有無検知手段９より右誘導加熱部４の報知手段４ｄが駆動していることを示す信号を入力した場合、実施の形態１で述べているように、報知手段５ｄでは、電源スイッチオフ→オンになったことを示す報知（０．１秒吹鳴を１回）または電源スイッチオン→オフになったことを示す報知（０．５秒吹鳴を１回）を実施しない。
【００４６】
しかし、制御手段５ｅは、電源スイッチ検知手段３より入力する信号に基づき、電源スイッチオフ状態→電源スイッチオン状態、または電源スイッチオン状態→電源スイッチオフ状態を検知した後、０．０５秒以内に右報知有無検知手段９より右誘導加熱部４の報知手段４ｄが駆動していることを示す信号を入力しない場合、右誘導加熱部４が動作不良であると判断し、報知手段５ｄを駆動して、電源スイッチオフ→オンになったことを示す報知（０．１秒吹鳴を１回）または電源スイッチオン→オフになったことを示す報知（０．５秒吹鳴を１回）を実施する。
【００４７】
以上のように、本実施の形態では、右誘導加熱部４の制御手段４ｅや報知手段４ｄが動作不能で報知手段４ｄを駆動できない場合は、左誘導加熱部５の制御手段５ｅのみ、電源スイッチオフ→オンになったことを示す報知（０．１秒吹鳴を１回）または電源スイッチオン→オフになったことを示す報知（０．５秒吹鳴を１回）を行うようにすることができる。
【００４８】
なお、上記した各実施の形態１〜３においては、左右の２口の誘導加熱部を有するものを示したが、位置的にも口数的にも実施の形態に限られるものではない。また、加熱手段も加熱コイルに限られるものではなく、他の加熱手段であってもよいし、また、ラジェントヒータやロースタヒータを加えた複合加熱方式であってもよいものである。
【産業上の利用可能性】
【００４９】
以上のように、本発明にかかる加熱調理器は、構成手段を増加することなく、また電源スイッチのオンオフ状態に関連付けた報知が聞きづらくなるのを防ぐことができるので、誘導加熱調理器はもちろんのこと他の加熱調理器にも適用できる。ラジェントヒータやロースタヒータを備えた複合加熱調理器などへの用途にも適用できる。
【図面の簡単な説明】
【００５０】
【図１】本発明の実施の形態１、２における加熱調理器のブロック図
【図２】同加熱調理器の他の例を示すブロック図
【図３】本発明の実施の形態３における加熱調理器のブロック図
【符号の説明】
【００５１】
２、８  電源スイッチ
４ａ、５ａ  加熱コイル
４ｂ、５ｂ  インバータ
４ｃ、５ｃ  入力手段
４ｄ、５ｄ  報知手段
４ｅ、５ｅ  制御手段
６  絶縁手段
９  右報知有無検知手段
【図１】
2008071614.tif 000003
【図２】
2008071614.tif 000004
【図３】
2008071614.tif 000005